(57)【特許請求の範囲】
【請求項１】
装置本体と、
この装置本体の所定箇所に配置され情報を視覚的に表示するためのディスプレイと、
このディスプレイの前面に配置された透明な板状部材と、
前記板状部材の所定箇所に取り付けられるボイスコイルと磁石を備えた駆動手段とを具備する電子装置であって、
前記ボイスコイルは、所定の枠の形状となった平面コイルであり、
前記磁石は、前記ボイスコイルの取付面に間隔を置いて対向する他の面上で前記ボイスコイルの枠内と枠外の双方にそれぞれ配置され、
前記駆動手段は、前記ボイスコイルと前記磁石のいずれかが前記板状部材に取り付けられ前記ボイスコイルに入力される音声信号に応じて前記板状部材を振動させる
ことを特徴とする電子装置。
【請求項２】
前記装置本体は、細長いハンドセットとしての形状をし、その前面の端部近傍にマイクロフォンを配置した構成となっており、
前記ディスプレイは、この装置本体の前記マイクロフォンの配置された側と反対側の端部近傍でスピーカの配置されるべき所定箇所を含む所定領域に配置されていることを特徴とする請求項１記載の電子装置。
【請求項３】
前記駆動手段は前記板状部材の複数の箇所に取り付けられていることを特徴とする請求項１または請求項２記載の電子装置。
【請求項４】
前記ボイスコイルは四角形の枠の形状となっていることを特徴とする請求項１〜請求項３いずれかに記載の電子装置。
【請求項５】
前記平面コイルはその取付面に対して直交する方向に複数個積層されていることを特徴とする請求項１〜請求項４いずれかに記載の電子装置。
【発明の詳細な説明】
【０００１】
【発明の属する技術分野】
本発明は携帯無線端末のような比較的小型の電子装置に係わり、特に音声出力用のスピーカと情報を視覚的に表示するためのディスプレイとを備えた電子装置に関する。
【０００２】
【従来の技術】
携帯電話機、ＰＨＳ（Ｐｅｒｓｏｎａｌ  Ｈａｎｄｙｐｈｏｎｅ  Ｓｙｓｔｅｍ）に代表される携帯端末等の比較的小型の電子装置が広く使用されている。これらの電子装置の多くは通話を行うため、あるいは音声で各種指示を行わせるためのスピーカを備えている。また、文字や画像等の視覚的な情報を表示するためのディスプレイを備えているのが通常である。
【０００３】
図７は従来の電子装置の一例を示したものである。特開平５−１９１３３５号公報に開示されたこの電子装置１０１はカードサイズの装置である。その前面のほぼ中央部には液晶ディスプレイ１０２が配置されており、その下には各種スイッチ１０３と平面スピーカ１０４とが配置されている。
【０００４】
また、特許２６４２５３０号公報にはＩＤコードに対応する音声情報または画像情報のいずれかをスピーカまたはディスプレイから出力するようにした携帯端末が開示されている。
【０００５】
【発明が解決しようとする課題】
ところで、電子装置が小型化すればするほど、装置の前面におけるディスプレイの占有率が大きくなる。
【０００６】
図８および図９は電子機器が携帯端末である場合の例を示したものである。図８に示した一体型の携帯端末１１１の場合には、装置本体１１２の前面にディスプレイ１１３と操作部１１４が配置されており、これらを挟むように小型のスピーカ１１５とマイクロフォン１１６が配置されている。また、図９に示した折り畳み型の携帯端末１２１の場合には、ヒンジ機構１２２よりも図で上側の面にディスプレイ１２３とスピーカ１２４が配置され、下側の面に操作部１２５とマイクロフォン１２６が配置されている。
【０００７】
これら図８および図９に示したいずれの例でも、携帯端末１１１、１２１といった電子装置の表示するデータはより高解像度の画像やより大量のテキスト情報に変化してきている。したがって、このようなサイズの制限の下で、比較的小型の電子装置の中にディスプレイ１１３、１２３をどのように大きな比率で占有させるかが大きな問題となっている。このため、いずれの場合にもスピーカ１１５、１２４の占める面積に大きな制約が加えられているのが実状である。
【０００８】
ところが、このような電子機器のうち携帯端末１１１、１２１のような通信機能を備える端末は、音楽を始めとして各種のデータをインターネット上のサーバ等からダウンロードする機会が増えており、音楽等の音を内蔵のスピーカで再生する機会も増えている。このような状況の下では、スピーカ１１５、１２４の音質の向上も図らなければならない。したがって、ディスプレイ１１３、１２３の大型化の要請の下でスピーカ１１５、１２４のサイズを小型化するのにも限界がある。
【０００９】
以上、携帯端末について具体的に従来の技術について問題を指摘したが、スピーカとディスプレイを備えた小型の電子装置にとってこの問題は共通している。
【００１０】
そこで本発明の目的は、スピーカの配置される領域までディスプレイの配置領域を拡大することのできる電子装置を提供することにある。
【００１１】
【課題を解決するための手段】
請求項１記載の発明では、（イ）装置本体と、（ロ）この装置本体の所定箇所に配置され情報を視覚的に表示するためのディスプレイと、（ハ）このディスプレイの前面に配置された透明な板状部材と、（ニ）板状部材の所定箇所に取り付けられるボイスコイルと磁石を備えた駆動手段とを具備する電子装置であって、（ホ）ボイスコイルは、所定の枠の形状となった平面コイルであり、磁石は、ボイスコイルの取付面に間隔を置いて対向する他の面上でボイスコイルの枠内と枠外の双方にそれぞれ配置され、駆動手段は、ボイスコイルと磁石のいずれかが板状部材に取り付けられボイスコイルに入力される音声信号に応じて板状部材を振動させることを特徴としている。
【００１２】
すなわち本発明では、ディスプレイの前面に配置された透明な板状部材自体を音声信号に応じてこれを振動させて音声を出力させるようにしている。これにより、本来、スピーカの配置される場所にまでディスプレイを配置することができ、ディスプレイを比較的大きなものにすることができる。
【００２３】
【発明の実施の形態】
【００２４】
【実施例】
以下実施例につき本発明を詳細に説明する。
【００２５】
図１は本発明の一実施例における電子装置としての携帯端末を前面から見たものである。この携帯端末２０１は装置本体２０２の前面の上部にディスプレイ・スピーカ部２０３を配置している。その下側には図８に示した従来の携帯端末と同様に操作部２０４が配置されており、その下にはマイクロフォン２０５が配置されている。このように本実施例では従来のディスプレイとスピーカが合体した形でディスプレイ・スピーカ部２０３を構成している。ディスプレイ・スピーカ部２０３の前面には、液晶ディスプレイの表示面を保護するための表示カバー２０６が取り付けられている。
【００２６】
図２はこの表示カバーを背面から見たものである。表示カバー２０６は透明部２１１とその周囲を取り囲むように配置された着色部２１２から構成されている。透明部２１１は、図示しない液晶パネルに対応する部分であり、液晶パネルの表示を確保しつつこれを外部から保護する役割を持っている。着色部２１２は透明部２１１と同一の平板材料で構成されていてもよいが、液晶パネルの表示領域とそれ以外の部分を視覚的に区別させるために着色されている。
【００２７】
着色部２１２には、この表示カバー２０６を振動させて音を出力させるための駆動部２１３が取り付けられている。駆動部２１３からは１対の駆動用信号線２１４、２１５が引き出されている。
【００２８】
図３は、図２におけるＡ−Ａ′方向から駆動部を切断した状態を示したものである。駆動部２１３は、着色部２１２に固着された平板状の第１の支持部２２１を備えている。第１の支持部２２１はダンパ２２２によって第２の支持部２２３を支持している。第１の支持部２２１と第２の支持部２２３の間にはわずかの隙間が存在する。ダンパ２２２は弾性を持った部材で構成されており、これによって第２の支持部２２３は第１の支持部２２１に対して図で矢印２２５方向に往復動自在となっている。第１の支持部２２１には渦巻状に巻回された平面コイル２２６が取り付けられている。
【００２９】
図４は、この平面コイルの形状を表わしたものである。平面コイル２２６は図２で示した着色部２１２に効率的に配置されるように全体として矩形枠を構成するような形状で巻回されている。平面コイル２２６のそれぞれの端部には駆動用信号線２１４、２１５の一端が電気的に接続されている。
【００３０】
図５は図３のＢ−Ｂ′方向に切断を行って、平面コイルと第１および第２のマグネットの配置関係を表わしたものである。図３に示した第２の支持部２２３には、平面コイル２２６と対向しかつこれを避ける領域に第１のマグネット２３１と第２のマグネット２３２が配置されている。このうちの第１のマグネット２３１は平面コイル２２６の中央部の空間２３５にその先端部が嵌合するように配置されており、第２のマグネット２３２は平面コイル２２６の最外周よりも僅かに外側に配置されている。
【００３１】
したがって、１対の駆動用信号線２１４、２１５から音声信号を印加すると、平面コイル２２６によって磁界が発生する。そして、第１および第２のマグネット２３１、２３２の磁界と作用してフレミングの法則によって第１および第２の支持部２２１、２２３が近接と離反を繰り返し、この結果として表示カバー２０６が音に共振しながら振動する。
【００３２】
このようにして、図示しない音声信号の増幅器から出力された音声信号が１対の駆動用信号線２１４、２１５から平面コイル２２６に印加されることで、音声が表示カバー２０６全体から出力されることになる。すなわち、従来のように携帯端末の前面にスピーカを配置したり、スピーカ用の送話音孔を穿設する必要がない。
【００３３】
なお、本実施例では第２の支持部２２３が第１の支持部２２１によって支持されているものとして説明した。この代わりに第２の支持部２２３が図示しない不動部材上に固定されており、第１の支持部２２１がダンパ２２２によって弾性的に支持されていても良い。
【００３４】
変形例
【００３５】
図６は、本発明の変形例を示したもので先の実施例の図３に対応するものである。そこで、図３と同一部分には同一の符号を付しており、これらの説明を適宜省略する。この変形例では、図３に示した第１の支持部２２１の代わりに、図４に示した平面コイル２２６と同一形状の他の平面コイル３０１を着色部２１２に直接固定している。
【００３６】
この平面コイル３０１における第２の支持部２２３側に向いた面には平面コイル３０１と同一サイズで枠状の形状をした平板状の絶縁体３０２が取り付けられている。絶縁体３０２の更に第２の支持部２２３側に向いた面には先の実施例と同じ平面コイル２２６が取り付けられている。このように２つの平面コイル３０１、２２６および絶縁体３０２が、３層構造で取り付けられており、これらの中央には先の実施例と同様に空隙が形成されている。２つの平面コイル２２６、３０１は絶縁体３０２を介して互いにそれらの端部が導線３０３、３０４によって１本ずつ電気的に接続されている。したがって、これらの平面コイル２２６、３０１には同一方向に電流が流されることになる。
【００３７】
第２の支持部２２３には、先の実施例と同様に第１のマグネット２３１と第２のマグネット２３２が配置されている。これらは先の実施例と全く同一の構成となっている。したがって、第２の変形例の携帯端末では、２つの平面コイル２２６、３０１が積層された分だけ強い磁界が発生する。この結果、第１および第２のマグネット２３１、２３２との関係で先の実施例よりも大きな駆動力で表示カバー２０６が振動し、より大きな音声が出力されることになる。
【００３８】
以上説明した変形例では平面コイルを２層にしたが、絶縁体を挟んで更に多くの平面コイルを積層することもできる。また、表示カバー２０６と垂直方向に配置されたボビンにコイルを巻回するようにしても良い。更に実施例および変形例では表示カバー２０６の片側に駆動部２１３を取り付けたが、表示カバーのどの位置に取り付けてもよいことは当然である。また、実施例および変形例では携帯端末について説明したが、これ以外の電子装置にも本発明が適用されることは当然である。
【００３９】
【発明の効果】
以上説明したように本発明によれば、ディスプレイの前面に配置された透明な板状部材自体を音声信号に応じてこれを振動させて音声を出力させるようにしたので、本来、スピーカの配置される場所にまでディスプレイを配置することができ、ディスプレイを比較的大きなものにすることができる。また、スピーカの音を外部に出力するための孔を設ける必要がないので、防湿効果を向上させることができる。
【００４０】
また請求項３記載の発明によれば、駆動手段を板状部材の複数の箇所に配置したので、音の出力を大きくしたり、それぞれの駆動手段の配置面積の小型化を図ることができる。
【００４１】
更に請求項５記載の発明によれば、平面コイルをその取付面に対して直交する方向に複数個積層したので、十分な音声の出力が可能になる。
【図面の簡単な説明】
【図１】本発明の一実施例における電子装置としての携帯端末の正面図である。
【図２】本実施例の表示カバーの背面図である。
【図３】図２におけるＡ−Ａ′方向から駆動部を切断した状態を示した断面図である。
【図４】本実施例における平面コイルの形状を表わした平面図である。
【図５】図３のＢ−Ｂ′方向に切断を行って、平面コイルと第１および第２のマグネットの配置関係を表わした断面図である。
【図６】本発明の変形例で図２におけるＡ−Ａ′方向から駆動部を切断した状態を示した断面図である。
【図７】従来提案された電子装置の平面図を示したである。
【図８】従来の携帯端末の一例を示す平面図である。
【図９】ヒンジ機構を有する従来の携帯端末を開いた状態を示す平面図である。
【符号の説明】
２０１  携帯端末（電子装置）
２０２  装置本体
２０３  ディスプレイ・スピーカ部
２０４  操作部
２０５  マイクロフォン
２０６  表示カバー
２１１  透明部
２１２  着色部
２１３  駆動部
２２１  第１の支持部
２２３  第２の支持部
２２６、３０１  平面コイル
２３１  第１のマグネット
２３２  第２のマグネット
【図１】
0003632594.tif 000002
【図２】
0003632594.tif 000003
【図３】
0003632594.tif 000004
【図４】
0003632594.tif 000005
【図５】
0003632594.tif 000006
【図６】
0003632594.tif 000007
【図７】
0003632594.tif 000008
【図８】
0003632594.tif 000009
【図９】
0003632594.tif 000010